(57)【要約】【課題】画像再生機器用データを追記する追記プログラム及び追記目的用記録媒体並びにデータの追記方法の提供。【解決手段】記録媒体には、論理アドレス領域外に画像再生機器用データを追記するための追記プログラムで参照される識別情報が記録され、論理アドレス領域に該追記プログラムやダミーの画像再生機器用データなどがトラックアットワンス方式でセッションがクローズされずに記録され、追記プログラムは、記録媒体の論理アドレス領域外から識別情報を読み取り、該識別情報が自身のプログラムで参照される識別情報である場合に、入力された画像データから画像再生機器用データを生成し、自身の追記プログラムが記録されている記録媒体に、生成したデータと必要に応じて画像データとをトラック・アトワンス方式で記録させる。これにより、画像再生機器用データを簡単に追記することができる。【選択図】図１１
2006031776.tif 000002
【特許請求の範囲】
【請求項１】
コンピュータを、
記録媒体の論理アドレス領域外から、該記録媒体の識別情報を読み取る手段、
前記識別情報が自身のプログラムで参照される識別情報である場合に、前記自身のプログラムが記録されている前記記録媒体に、少なくとも特定種のデータを記録させる記録手段、として機能させることを特徴とする追記プログラム。
【請求項２】
前記記録の方法が、トラック・アトワンス方式であることを特徴とする請求項１記載の追記プログラム。
【請求項３】
コンピュータを、更に、
入力された画像データに基づいて前記特定種のデータを生成する手段、として機能させることを特徴とする請求項１又は２に記載の追記プログラム。
【請求項４】
前記記録手段は、前記記録媒体に、該特定種のデータと共に前記画像データを記録させることを特徴とする請求項３記載の追記プログラム。
【請求項５】
前記記録手段は、前記画像データを予め定められたルールに従ってリネームした後、前記記録媒体に、リネームされた前記画像データを記録させることを特徴とする請求項４記載の追記プログラム。
【請求項６】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１乃至５のいずれか一に記載の追記プログラム。
【請求項７】
論理アドレス領域外に、特定種のデータを追記するための追記プログラムで参照される識別情報が記録されていることを特徴とする追記目的用記録媒体。
【請求項８】
論理アドレス領域外に、特定種のデータを追記するための追記プログラムで参照される識別情報が記録され、
論理アドレス領域に、前記追記プログラムが記録されていることを特徴とする追記目的用記録媒体。
【請求項９】
前記追記プログラムは、トラック・アトワンス方式で記録されていることを特徴とする請求項８記載の追記目的用記録媒体。
【請求項１０】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項７乃至９のいずれか一に記載の追記目的用記録媒体。
【請求項１１】
第１の装置において、論理アドレス領域外に特定種のデータを追記するための追記プログラムで参照される識別情報が記録されている記録媒体の論理アドレス領域に、少なくとも、前記追記プログラムを記録するステップと、
第２の装置において、前記追記プログラムにより実行される手段を用いて、前記追記プログラムが記録されている前記記録媒体に、少なくとも前記特定種のデータを記録するステップと、を少なくとも有することを特徴とするデータの追記方法。
【請求項１２】
前記第１の装置において、前記追記プログラムに加えて前記特定種のデータと認識されるデータを記録することを特徴とする請求項１１記載のデータの追記方法。
【請求項１３】
前記第２の装置において、入力された画像データに基づいて前記特定種のデータを生成するステップを備えることを特徴とする請求項１１又は１２に記載のデータの追記方法。
【請求項１４】
前記第２の装置において、前記記録媒体に、前記特定種のデータと共に前記画像データを記録することを特徴とする請求項１３記載のデータの追記方法。
【請求項１５】
前記第２の装置において、入力された前記画像データを予め定められたルールに従ってリネームした後、前記記録媒体に、リネームされた前記画像データを記録することを特徴とする請求項１４記載のデータの追記方法。
【請求項１６】
前記第１の装置及び前記第２の装置における前記記録の方法が、トラック・アトワンス方式であることを特徴とする請求項１１乃至１５のいずれか一に記載のデータの追記方法。
【請求項１７】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１１又は１６のいずれか一に記載のデータの追記方法。
【発明の詳細な説明】
【技術分野】
【０００１】
本発明は、ＤＶＤプレーヤ、ＤＶＤレコーダ、ＨＤＤレコーダ、ゲーム機等の画像再生機器用のデータを追記する追記プログラム及び追記目的用記録媒体並びに画像再生機器用のデータの追記方法に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤやＤＶＤ−Ｖｉｄｅｏなどの形式のデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
上記サービスの利用形態は様々であり、写真店などに設置されたキオスクなどの端末を用いて記録媒体に画像データを書き込むユーザもいれば、自己が保有するパーソナルコンピュータなどのコンピュータ機器を用いて自宅で記録媒体に画像データを書き込むことを望むユーザもいる。また、自宅で記録媒体に画像データや画像再生機器用データを書き込むためには、オリジナルの画像データから画像再生機器用データを生成したり、これらのデータを書き込むためのアプリケーションが必要であり、更に、画像データをコンピュータ機器でも再生できるようにするためには、画像データをコンピュータ機器で再生させるためのアプリケーションも必要となる。
【０００５】
ここで、キオスクなどの端末で画像データを書き込む場合は、ブランクの記録媒体を端末にセットすればアプリケーションやオリジナル画像データ、画像再生機器用に変換されたデータなどが自動的に記録媒体に書き込まれるが、自宅のコンピュータ機器などで画像データを書き込む場合は、上記アプリケーションがなければオリジナル画像データから画像再生機器用データを生成したり、これらのデータを記録媒体に書き込むことはできず、また、書き込み用のアプリケーションあっても、再生用のアプリケーションがなければ書き込んだデータを再生することができないため、このような場合は予め所定のアプリケーションが記録された記録媒体をユーザに提供する必要がある。
【０００６】
しかしながら、アプリケーションが予め記録され、セッションがクローズされている記録媒体に画像再生機器用データを記録しても、画像再生機器では、記録媒体の最内周のセッションに画像再生機器用データが記録されていないと再生することができないため、ユーザはアプリケーションが記録された記録媒体を利用して画像再生機器用データを追記することができないという問題がある。
【０００７】
本発明は、上記問題点に鑑みてなされたものであって、その主たる目的は、ＤＶＤプレーヤやＤＶＤレコーダ、ＨＤＤレコーダ、ゲーム機のような画像再生機器用データを追記する追記プログラム及び追記目的用記録媒体並びにデータの追記方法を提供することにある。
【課題を解決するための手段】
【０００８】
上記目的を達成するため、本発明の追記プログラムは、コンピュータを、記録媒体の論理アドレス領域外から、該記録媒体の識別情報を読み取る手段、前記識別情報が自身のプログラムで参照される識別情報である場合に、前記自身のプログラムが記録されている前記記録媒体に、少なくとも特定種のデータを記録させる記録手段、として機能させるものである。
【０００９】
本発明においては、前記記録の方法が、トラック・アトワンス方式であることが好ましい。
【００１０】
また、本発明の追記プログラムは、コンピュータを、更に、入力された画像データに基づいて前記特定種のデータを生成する手段、として機能させる構成とすることができる。
【００１１】
本発明においては、前記記録手段は、前記記録媒体に、該特定種のデータと共に前記画像データを記録させる構成とすることができ、前記記録手段は、前記画像データを予め定められたルールに従ってリネームした後、前記記録媒体に、リネームされた前記画像データを記録させる構成とすることもできる。
【００１２】
また、本発明においては、前記特定種のデータは、Ｖｉｄｅｏ−ＣＤ形式、ＤＶＤ−Ｖｉｄｅｏ形式、又は、ＨＤＴＶ形式のいずれかの形式のデータであることが好ましい。
【００１３】
また、本発明の記録媒体は、論理アドレス領域外に、特定種のデータを追記するための追記プログラムで参照される識別情報が記録されているものである。
【００１４】
また、本発明の記録媒体は、論理アドレス領域外に、特定種のデータを追記するための追記プログラムで参照される識別情報が記録され、論理アドレス領域に、前記追記プログラムが記録されているものである。
【００１５】
また、本発明のデータの追記方法は、第１の装置において、論理アドレス領域外に特定種のデータを追記するための追記プログラムで参照される識別情報が記録されている記録媒体の論理アドレス領域に、少なくとも、前記追記プログラムを記録するステップと、第２の装置において、前記追記プログラムにより実行される手段を用いて、前記追記プログラムが記録されている前記記録媒体に、少なくとも前記特定種のデータを記録するステップと、を少なくとも有するものである。
【００１６】
本発明においては、前記第１の装置において、前記追記プログラムに加えて前記特定種のデータと認識されるデータを記録する構成とすることもできる。
【００１７】
このように、本発明の構成によれば、第１の装置で作成された記録媒体には、論理アドレス領域外に、特定種のデータを追記するための追記プログラムで参照される識別情報が記録され、かつ、論理アドレス領域に、少なくとも追記プログラムがトラック・アトワンス方式でセッションがクローズされずに記録されており、第２の装置では、追記プログラムにより実行される手段により、コンピュータを記録媒体の論理アドレス領域外から識別情報を読み取り、該識別情報が自身のプログラムで参照される識別情報である場合に、特定種のデータを自身のプログラムが記録された記録媒体に対してトラック・アトワンス方式で追記するため、ユーザは該記録媒体を用いて特定種のデータを簡単に追記することができ、追記した特定種のデータを画像再生機器で認識し、再生することができる。
【発明の効果】
【００１８】
以上説明したように、本発明の追記プログラム及び追記目的用記録媒体並びにデータの追記方法によれば、予め追記プログラムなどのアプリケーションが記録された記録媒体に、ＤＶＤプレーヤやＤＶＤレコーダ、ＨＤＤレコーダ、ゲーム機等の画像再生機器で再生可能な画像再生機器用データを簡単に追記することができ、追記した特定種のデータを画像再生機器で認識し、再生することができる。
【００１９】
その理由は、追記目的用記録媒体作成装置で作成された記録媒体には、論理アドレス領域外に、画像再生機器用データを追記するための追記プログラムで参照される識別情報が記録され、かつ、論理アドレス領域に、少なくとも追記プログラムがトラック・アトワンス方式でセッションがクローズされずに記録されており、記録装置では、追記プログラムにより実行される手段により、コンピュータを記録媒体の論理アドレス領域外から識別情報を読み取り、該識別情報が自身のプログラムで参照される識別情報である場合に、画像再生機器用データを自身のプログラムが記録された記録媒体に対してトラック・アトワンス方式で追記するからである。
【発明を実施するための最良の形態】
【００２０】
本発明のデータの追記方法は、その好ましい一実施の形態において、論理アドレス領域外に、画像再生機器用データを追記するための追記プログラムで参照される識別情報が記録され、論理アドレス領域に、該追記プログラムや必要に応じて画像再生機器用データと認識されるダミーの画像再生機器用データなどが、トラックアットワンス方式でセッションがクローズされずに記録されたディスク型記録媒体をユーザに提供し、ユーザが該記録媒体を記録装置に装填すると、追記プログラムが起動し、該追記プログラムは、記録媒体の論理アドレス領域外から識別情報を読み取り、この識別情報が自身のプログラムで参照される識別情報である場合に、入力された画像データからＤＶＤプレーヤやＤＶＤレコーダ、ＨＤＤレコーダ、ゲーム機等の画像再生機器で再生可能な画像再生機器用データを生成し、自身の追記プログラムが記録されている記録媒体に、少なくとも生成したデータと、必要に応じて入力された画像データとをトラック・アトワンス方式で記録させる。これにより、通常、追記しても再生することができない画像再生機器用データを簡単に追記することができ、追記した特定種のデータを画像再生機器で認識し、再生することができる。
【実施例】
【００２１】
上記実施形態について詳細に説明すべく、本発明の一実施例に係る追記プログラム及び追記目的用記録媒体並びにデータの追記方法について、図１乃至図１４を参照して説明する。図１は、本実施例に係るデータ追記システムの構成を模式的に示す外観図であり、図２乃至図５は、追記目的用記録媒体作成装置の構成のバリエーションを示す図である。また、図６は、追記目的用記録媒体作成装置の機能を示すブロック図であり、図７は、追記プログラムがコンピュータを機能させる手段を示すブロック図である。また、図８は、本実施例の追記目的用記録媒体作成装置を用いた追記目的用記録媒体の作成手順を示すフローチャート図であり、図９は、本実施例の記録装置を用いたデータの追記手順を示すフローチャート図、図１０は、データが追記された記録媒体の再生手順を示すフローチャート図である。また、図１１は、記録媒体におけるデータの構成を模式的に示す図、図１２は、記録媒体におけるデータの記録領域を示す図、図１３は記録媒体（ＣＤ−Ｒ）の構造を模式的に示す図、図１４は、記録媒体のフォルダ構造の一例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２２】
図１に示すように、本実施例のデータ追記システム１は、追記目的用記録媒体（以下、単に記録媒体２と呼ぶ。）を作成する追記目的用記録媒体作成装置１０と、記録媒体２に記録された追記プログラムにより、該記録媒体２に少なくとも画像データ（静止画像データ、動画データ、画像情報を含むデータを総称して画像データと呼ぶ。）に基づいて作成された画像再生機器用データを追記する記録装置２０と、画像再生機器用データが追記された記録媒体２ａを用いて画像を再生するパーソナルコンピュータなどのコンピュータ機器３０及びＤＶＤプレーヤやＤＶＤレコーダ、ＨＤＤレコーダ、ゲーム機などの画像再生機器４０とからなる。
【００２３】
また、追記目的用記録媒体作成装置１０は、少なくとも、記録媒体２を装填する記録媒体装填部１１を備えている。この追記目的用記録媒体作成装置１０の構成をブロック図で示すと図６に示すようになり、記録媒体装填部１１に装填された記録媒体２の所定の領域（論理アドレス領域外）から後述する追記プログラムで参照される識別情報を読み取る識別情報読み取り手段１２と、画像再生機器用データであると認識されるデータ（以下、ダミーの画像再生機器用データと呼ぶ。）や上記追記プログラムなどのアプリケーションを記憶する記憶手段１３と、後に記録装置２０でデータの追記ができるように、いわゆるトラックアットワンス方式でセッションをクローズせずに、上記追記プログラムやダミーの画像再生機器用データを記録する記録手段１４とを備えている。
【００２４】
なお、図１では、追記目的用記録媒体作成装置１０として、写真店やコンビニエンスストア等の店舗に設置可能なキオスク型の装置を記載しているが、追記目的用記録媒体作成装置１０の形態は任意であり、例えば、図２に示すようにパーソナルコンピュータなどのコンピュータ機器としてもよいし、図３に示すように専用のセットトップボックスとしたり、図４に示すようにポータブルライタとしたり、図５に示すようにＤＶＤレコーダやＨＤＤレコーダとしてもよいし、演算処理機能を備えたカーナビゲーション機器などとしてもよい。
【００２５】
また、記録装置２０は、スマートメディア、コンパクトフラッシュ（登録商標）、メモリースティック（登録商標）、ＳＤメモリーカード、マルチメディアカードなどの記録媒体（以下、メディア３と呼ぶ。）を装填するメディア装填部２２、デジタルカメラ４（デジタルスチルカメラ及びデジタルムービーカメラの双方を含む。）やカメラ付き携帯電話機５等の撮影機器を有線又は無線、赤外線等によって接続するための機器接続部２３、インターネット等の通信ネットワーク６を介してサーバ７から画像データなどをダウンロードするネットワーク接続部等と、ＣＤ−Ｒ／ＲＷやＤＶＤ±Ｒ／ＲＷ、ＤＶＤ−ＲＡＭ、Ｂｌｕ−ｒａｙディスク等の記録媒体２を装填する記録媒体装填部２１と、ボタン、キーボード、マウス等の操作手段２９及びＬＣＤ、ＣＲＴ等の表示手段２８とを備えており、記録媒体２に記録された追記プログラムはこの記録装置２０を図７に示す手段として機能させる。
【００２６】
具体的には、上記追記プログラムは記録装置２０を、記録媒体装填部２１に装填された記録媒体２の所定の領域（論理アドレス領域外）から識別情報を読み取る識別情報読み取り手段２５と、メディア装填部２２、機器接続部２３、ネットワーク接続部等から入力された画像データに基づいて、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶ等の形式のデータを生成したり、必要に応じてオリジナルの画像データのデータサイズを縮小したサムネイル画像データやスクリーンネイル画像データなどの縮小画像データを生成するデータ生成手段２６と、記録媒体装填部２１に装填された記録媒体２に、画像再生機器用データや必要に応じてオリジナル画像データ、縮小画像データなどを追記させる記録手段２７として機能させる。
【００２７】
なお、上記追記プログラムは必ずしも記録装置２０を識別情報読み取り手段２５、データ生成手段２６、記録手段２７の全てとして機能させる必要はなく、少なくとも、識別情報読み取り手段２５、記録手段２７として機能させるものであればよい。また、上記記録装置２０の形態も任意であり、図１に示すようなコンピュータ機器としてもよいし、例えば、キオスク型の記録装置としてもよいし、専用のセットトップボックスとしたり、ポータブルライタとしたり、ＤＶＤレコーダやＨＤＤレコーダとしてもよいし、演算処理機能を備えたカーナビゲーション機器などとしてもよい。
【００２８】
次に、上記構成の追記目的用記録媒体作成装置１０を用いて、追記目的用の記録媒体２を作成する手順について、図７のフローチャート図を参照して説明する。
【００２９】
まず、ステップＳ１０１で、追記目的用記録媒体作成装置１０の記録媒体装填部１１に記録媒体２を装填する。
【００３０】
すると、ステップＳ１０２で、識別情報読み取り手段１２は、記録媒体装填部１１に装填された記録媒体２の予め定められた領域から識別情報を読み取る。その際、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３１】
ここで、一般的な記録媒体２の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。
【００３２】
なお、この識別情報の具体的な構成は任意であり、上記以外の案内溝変調（ＡＴＩＰ）であるリードイン開始時間、最大リードアウト開始可能時間等も適宜設定することで識別情報として利用することができ、記録媒体が正規に作成されたものか否かを簡単かつ確実に識別することができる。
【００３３】
そして、記録媒体２に識別情報が記録されていない場合、又は、該識別情報が追記プログラムで参照される識別情報でない場合は、処理を終了又はステップＳ１０１に戻り、追記プログラムで参照される識別情報が記録されている場合は、ステップＳ１０３で、記憶手段１３から、追記プログラムなどのアプリケーションと、ダミーの画像再生機器用データとを読み出す。なお、追記目的用記録媒体作成装置１０で書き込むデータとしては追記プログラムが含まれていればよく、ダミーの画像再生機器用データが記録されていなくても画像再生機器で記録媒体２に追記されたデータを再生できる場合には、ダミーの画像再生機器用データは含まれていなくてもよく、また、上記以外の他のデータやアプリケーション、例えば、画像データをコンピュータ機器３０で再生させるための画像表示プログラムなどが含まれていてもよい。このダミーの画像再生機器用データとは、画像再生機器用データであることを認識させるための情報を意味し、画像再生機器用データとしての体裁を備えていない情報としてもよいし、画像再生機器用データのフォルダ構造を備えているが表示データを含まないデータとしてもよいし、予め定められた特定の情報（例えば、タイトル画面）のみが表示されるデータとしてもよい。また、このダミーの画像再生機器用データは記憶手段１３に予め記憶されていてもよいし、追記目的用記録媒体作成装置１０にデータ生成手段を設け、記録媒体２が記録媒体装填部１１に装填されたら自動的にダミーの画像再生機器用データを生成するようにしてもよい。
【００３４】
次に、記録媒体２に記憶手段１３から読み出したアプリケーションやダミーの画像再生機器用データを記録するが、記録媒体２にデータを記録する手法として、いわゆるディスク・アトワンスとトラック・アトワンスの２つの記録方式がある。ディスク・アトワンスは記録媒体２に１回でデータを記録して追記できないようにする方式であり、トラック・アトワンスはトラック毎にデータを記録して追記できるようにする方式であるが、本発明では、追記目的用記録媒体作成装置１０で作成された記録媒体２に記録装置２０を用いて画像再生機器用データを追記することから、トラック・アトワンス方式を用いて以下の書き込みを行う。
【００３５】
ここで、最終的に記録媒体２に書き込まれるデータは、セッションの開始を意味するリードインやセッションの目次やトラック情報などを示すＴＯＣ（Table Of Contents）（以下、これらを合わせてリードイン・ＴＯＣと呼ぶ。）と、各々のトラックに書き込まれるデータ（データ本体と呼ぶ。）とセッションの終了を意味するリードアウトとで構成され、ディスク・アトワンス方式では、リードイン・ＴＯＣとデータ本体とリードアウトとが一度に書き込まれるが、トラック・アトワンス方式では、記録途中段階ではデータ本体の内容が確定しないことから、ステップＳ１０４で、記録手段１４を用いて、記録媒体２の内側のＰＭＡ（Programmable Memory Area）にリードイン・ＴＯＣに書き込むべき情報を一時的に書き込む。
【００３６】
次に、記録手段１４を用いてデータ本体の書き込みを行う。具体的には、ステップＳ１０５で、必要に応じて記憶手段１３から読み込んだダミーの画像再生機器用データを書き込み、ステップＳ１０６で、追記プログラムや必要に応じて画像表示プログラムなどのアプリケーションを書き込む。ここで、ディスク・アトワンス方式の場合は、データ本体の後にリードアウトを書き込んでセッションをクローズするが、トラック・アトワンス方式では、記録装置２０で画像再生機器用データを追記することから、リードアウトを書き込まず、すなわちセッションをクローズせずに処理を終了する。
【００３７】
上記手順で作成された記録媒体２におけるデータの記録構造は図１１（ａ）に示すようになり、後にリードイン・ＴＯＣに書き込まれる情報が記録されたＰＭＡと、ダミーの画像再生機器用データ（ＶＣＤ１）及び追記プログラムなどのアプリケーション（ＰＧＭ）を含むデータ本体とで構成される。
【００３８】
次に、上記手順で作成された記録媒体２に、記録装置２０を用いて画像再生機器用データを追記する手順について、図９のフローチャート図を参照して説明する。
【００３９】
まず、ステップＳ２０１で、記録装置２０の記録媒体装填部２１に記録媒体２を装填すると、ステップＳ２０２で、記録媒体２に予め記録された追記プログラムが起動する。この追記プログラムはユーザが読み出して起動してもよいし、記録媒体２が装填されたらＰＭＡの情報に基づいて自動的に追記プログラムが起動するようにしてもよい。
【００４０】
次に、ステップＳ２０３で、追記プログラムは記録装置２０を識別情報読み取り手段２５として機能させ、記録媒体２の特定の領域（論理アドレス領域外）から識別情報を読み出す。
【００４１】
そして、記録媒体２に識別情報が書き込まれていない場合、又は、該識別情報が追記プログラムで参照される識別情報でない場合は処理を終了又はステップＳ２０１に戻り、追記プログラムで参照される識別情報が書き込まれている場合は、ステップＳ２０４で、記録装置２０のメディア装填部２２にメディア３を装填、又は、機器接続部２３にデジタルカメラ４やカメラ付き携帯電話機５を接続、又はネットワーク接続部２４を通信ネットワーク６に接続し、ステップＳ２０５で、デジタルカメラ４やメディア３に記録された画像データやサーバ７に記録された画像データ、必要に応じて、画像データを音楽付きスライドショーとして再生するためのＢＧＭとして利用する音楽データなどを読み取る。その際、必要に応じて、表示手段２８や操作手段２９を用いて記録媒体２に記録する画像データを選択するようにしてもよい。
【００４２】
次に、ステップＳ２０６で、必要に応じて、追記プログラムは記録装置２０をデータ生成手段２６として機能させ、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４３】
次に、ステップＳ２０７で、追記プログラムは記録装置２０をデータ生成手段２６として機能させ、読み取った画像データに基づいて動画データを生成した後、該動画データをＤＶＤプレーヤやＤＶＤレコーダ、ＨＤＤレコーダ、ゲーム機等の画像再生機器４０で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００４４】
次に、ステップＳ２０８で、追記プログラムは記録装置２０を記録手段２７として機能させ、ＰＭＡに、追記する画像再生機器用データと必要に応じて書き込むオリジナル画像データや縮小画像データなどのデータに関する情報を書き込む。
【００４５】
次に、ステップＳ２０９で、追記目的用記録装置１０で記録されたデータ本体の外側に、生成された画像再生機器用データや関連付けファイル等（以下、これらを総称して画像再生機器用データ群と呼ぶ。）を書き込み、引き続き、ステップＳ２１０で、必要に応じて、オリジナル画像データや縮小画像データや情報ファイル、音楽データなど（以下、これらを総称してコンピュータ機器用データ群と呼ぶ。）を書き込む。この状態のデータの記録構造は図１１（ｂ）に示すようになり、後にリードイン・ＴＯＣに書き込まれる情報が記録されたＰＭＡと、ダミーの画像再生機器用データ（ＶＣＤ１）と追記プログラムなどのアプリケーション（ＰＧＭ）と、画像再生機器用データ群（ＶＣＤ２）と、コンピュータ機器用データ群（オリジナル画像データ）とを含むデータ本体とで構成される。
【００４６】
そして、ステップＳ２１１で、記録手段２７を用いて、ＰＭＡに書き込まれた情報をリードイン・ＴＯＣに書き込み、ステップＳ２１２でデータ本体の外側にリードアウトを書き込んでデータの追記を終了する。この状態のデータの記録構造は図１１（ｃ）に示すようになり、ＰＭＡと、ＰＭＡの情報が書き写されたリードイン・ＴＯＣと、ダミーの画像再生機器用データ（ＶＣＤ１）と追記プログラムなどのアプリケーション（ＰＧＭ）と、画像再生機器用データ群（ＶＣＤ２）と、コンピュータ機器用データ群（オリジナル画像データ）とを含むデータ本体と、リードアウトとで構成され、図１２に示すようにこれらのデータが、識別情報が論理アドレス領域外に記録された記録媒体２の論理アドレス領域に記録される。
【００４７】
また、上記手順で作成された記録媒体２の記録構造は任意であるが、例えば、図１４に示すようにすることができる。この構造では、”PS_Roll”フォルダ内の画像データ、サムネイル画像データ、スクリーンネイル画像データなどの複数の種別の画像データ（画像データ群）と、記録媒体２の識別情報などが記録された情報ファイル（info.txt）、”APPL”フォルダ内のスライドショープログラム、スライドショーの設定ファイル、自動起動ファイル（Autorun.inf）などの他のデータ群とでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどでダミーの画像再生機器用データ及び追記した画像再生機器用データ等からなる画像再生機器用データ群が構成される。
【００４８】
上記画像データ群の記録に際して、画像データ群をデータ管理装置などにバックアップした場合における管理を容易にするために、予め定められたルールに従ってフォルダを構成し、そのフォルダや画像データにユニークな名称を付与することが好ましい。例えば、図１４に示すように、画像データの格納場所を示すフォルダ（PS_Roll）の下位の階層にメディア３毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）を作成したり、各々の画像データをCCYYMMDDxxxxxx（CC：画像データの種別、YYMMDD：書き込み年月日を特定する数字、xxxxxx：シーケンシャル番号）などにリネームしてもよい。
【００４９】
次に、上記方法で画像再生機器用データが追記された記録媒体２ａを画像再生機器４０で再生する場合の動作について、図１０のフローチャート図を参照して説明する。
【００５０】
まず、ステップＳ３０１で、上記手順で画像再生機器用データを追記した追記済み記録媒体２ａを画像再生機器４０に装填する。
【００５１】
すると、ステップＳ３０２で、画像再生機器４０は、追記済み記録媒体２ａに書き込まれたリードイン・ＴＯＣの情報を読み取り、公知の手法を用いて、その中に記録された開始アドレスに対応するデータの中から画像再生機器で再生可能なデータ（例えば、Ｖｉｄｅｏ−ＣＤ形式、ＤＶＤ−Ｖｉｄｅｏ形式、ＨＤＴＶ形式などのデータ）を識別する。ここで、本実施例の追記済み記録媒体２ａには、ダミーの画像再生機器用データと追記した画像再生機器用データの２つの対象となるデータが記録されており、リードイン・ＴＯＣにはダミーの画像再生機器用データの開始アドレスと追記した画像再生機器用データの開始アドレスとが記録されているため、画像再生機器４０はこの２つのデータを画像再生機器用データとして認識する。
【００５２】
次に、ステップＳ３０３で、対象となるデータにアクセスしてデータの再生を開始するが、追記済み記録媒体２ａにダミーの画像再生機器用データが記録されている場合は外ダミーの画像再生機器用データにアクセスしてデータを再生する。そして、ダミーの画像再生機器用データに表示すべきデータが含まれていない場合はステップＳ３０４でただちにダミーの画像再生機器用データの再生を終了し、予め定められた情報が記録されている場合は該情報を表示した後、ダミーの画像再生機器用データの再生を終了する。
【００５３】
ここで、従来の記録媒体では、ダミーの画像再生機器用データと追記した画像再生機器用データとが別々のセッションに書き込まれており、また、画像再生機器４０では、通常、２番目以降のセッションを認識することができないため、追記された画像再生機器用データを再生することができないが、本実施例の記録媒体２ａには、ダミーの画像再生機器用データと追記した画像再生機器用データとがトラック・アトワンス方式で１つのセッションに書き込まれているため、ステップＳ３０５で、次の対象となるデータ（ここでは追記した画像再生機器用データ）にアクセスしてデータを再生することができる。
【００５４】
そして、ステップＳ３０６で、追記された画像再生機器用データの再生を終了して、追記済み記録媒体２ａの再生を終了する。
【００５５】
また、上記追記済み記録媒体２ａをコンピュータ機器３０で再生する場合は、必要に応じて追記目的用記録媒体作成装置１０で記録された画像表示プログラムを起動し、追記されたオリジナル画像データや縮小画像データを読み出して表示手段上に表示したり、画像データを利用した各種処理を行う。
【００５６】
このように、本実施例の追記目的用記録媒体作成装置１０で作成された記録媒体２には、論理アドレス領域外に追記プログラムで参照される識別情報が記録され、論理アドレス領域には、少なくとも画像再生機器用データを追記するための追記プログラムがトラック・アトワンス方式でセッションをクローズせずに記録され、追記プログラムは記録装置２０を、記録媒体２の論理アドレス領域外から識別情報を読み取る手段、該識別情報が自身のプログラムで参照される識別情報である場合に、メディア装填部や機器接続部、ネットワーク接続部などから入力された画像データに基づいて画像再生機器用データを生成する手段、自身のプログラムが記録されている記録媒体２に、少なくとも生成された画像再生機器用データを記録する手段として機能させるため、簡単に画像再生機器用データを追記することが可能となる。
【００５７】
なお、上記各実施例では、画像再生機器用のデータを追記する場合について記載したが、本発明は上記実施例に限定されるものではなく、音楽データなどの他の種類のデータに関しても、同様に適用することができる。
【図面の簡単な説明】
【００５８】
【図１】本発明の一実施例に係るデータ追記システムの構成を模式的に示す図である。
【図２】本発明の一実施例に係る追記目的用記録媒体作成装置の外観構成を示す図である。
【図３】本発明の一実施例に係る追記目的用記録媒体作成装置の他の外観構成を示す図である。
【図４】本発明の一実施例に係る追記目的用記録媒体作成装置の他の外観構成を示す図である。
【図５】本発明の一実施例に係る追記目的用記録媒体作成装置の他の外観構成を示す図である。
【図６】本発明の一実施例に係る追記目的用記録媒体作成装置の構成を示すブロック図である。
【図７】本発明の一実施例に係る追記プログラムにより機能する手段を示すブロック図である。
【図８】本発明の一実施例に係る追記目的用記録媒体作成装置を用いた記録媒体の作成手順を示すフローチャート図である。
【図９】記録装置を用いた画像再生機器用データの追記手順を示すフローチャート図である。
【図１０】画像再生機器を用いた追記データの再生手順を示すフローチャート図である。
【図１１】本発明の一実施例の記録媒体におけるデータの構成を模式的に示す図である。
【図１２】本発明の一実施例の記録媒体におけるデータの記録領域を示す図である。
【図１３】記録媒体の構造を模式的に示す図である。
【図１４】本発明の一実施例の記録媒体におけるデータのフォルダ構造を示す図である。
【符号の説明】
【００５９】
１  データ追記システム
２  記録媒体
２ａ  追記済み記録媒体
３  メディア
４  デジタルカメラ
５  カメラ付き携帯電話機
６  通信ネットワーク
７  サーバ
１０  追記目的用記録媒体作成装置
１１  記録媒体装填部
１２  識別情報読み取り手段
１３  記憶手段
１４  記録手段
２０  記録装置
２１  記録媒体装填部
２２  メディア装填部
２３  機器接続部
２５  識別情報読み取り手段
２６  データ生成手段
２７  記録手段
２８  表示手段
２９  操作手段
３０  コンピュータ機器
４０  画像再生機器
１００  ポリカーボネート基板
１０１  有機色素層
１０２  反射層
１０３  保護層
【図１】
2006031776.tif 000003
【図２】
2006031776.tif 000004
【図３】
2006031776.tif 000005
【図４】
2006031776.tif 000006
【図５】
2006031776.tif 000007
【図６】
2006031776.tif 000008
【図７】
2006031776.tif 000009
【図８】
2006031776.tif 000010
【図９】
2006031776.tif 000011
【図１０】
2006031776.tif 000012
【図１１】
2006031776.tif 000013
【図１２】
2006031776.tif 000014
【図１３】
2006031776.tif 000015
【図１４】
2006031776.tif 000016